【手続補正書】
【提出日】平成17年4月6日(2005.4.6)
【手続補正１】
【補正対象書類名】明細書
【補正対象項目名】特許請求の範囲
【補正方法】変更
【補正の内容】
【特許請求の範囲】
【請求項１】
少なくとも１つの電子機器が接続される電子機器制御装置であって、
外部からの前記電子機器に対する操作要求を受信する受信手段と、
前記操作要求に基づいて前記電子機器を操作する制御手段と、
要求された前記電子機器に対する操作の履歴情報を記憶する記憶手段と、
前記記憶手段に記憶されている前記履歴情報を他の電子機器制御装置と送受信する通信手段と、
を備え、
前記通信手段が前記他の電子機器制御装置から前記履歴情報を受信した際に、前記制御手段は、当該履歴情報に基づいて、接続されている前記電子機器を操作することを特徴とする電子機器制御装置。
【請求項２】
前記受信手段は、外部からのユーザ設定要求を受信し、
前記通信手段は、前記他の電子機器制御装置に対して前記ユーザ設定要求があったことを示す指令を送信し、前記指令を受信した際には、前記記憶手段に記録されている前記履歴情報を前記他の電子機器制御装置に対して送信することを特徴する請求項１に記載の電子機器制御装置。
【請求項３】
前記記憶手段は、前記ユーザ毎に前記履歴情報を記憶し、
前記通信手段は、前記指令を受信した際には、前記ユーザ設定要求に対応したユーザの前記履歴情報を送信することを特徴する請求項２に記載の電子機器制御装置。
【請求項４】
少なくとも１つの電子機器が接続される電子機器制御装置であり、複数の当該電子機器制御装置が相互に接続されることによって構成される電子機器ネットワークシステムであって、
前記電子機器制御装置は、
ユーザが携帯するリモートコントローラからの前記電子機器に対する操作要求を受信する受信手段と、
前記操作要求に基づいて前記電子機器を操作する制御手段と、
要求された前記電子機器に対する操作の履歴情報を記憶する記憶手段と、
前記記憶手段に記憶されている前記履歴情報を他の電子機器制御装置と送受信する通信手段と、
を備え、
前記通信手段が前記他の電子機器制御装置から前記履歴情報を受信した際に、前記制御手段は、当該履歴情報に基づいて、接続されている前記電子機器を操作することを特徴とする電子機器ネットワークシステム。
【請求項５】
少なくとも１つの電子機器が接続される電子機器制御装置であり、複数の当該電子機器制御装置が相互に接続されることによって構成される電子機器ネットワークシステムにおける電子機器制御方法であって、
ユーザが携帯するリモートコントローラから、ユーザ設定要求を前記電子機器制御装置へ送信する工程と、
前記ユーザ設定要求に基づいて、当該電子機器制御装置から他の前記電子機器制御装置に対して前記ユーザ設定要求があったことを示す通知を送信する工程と、
前記通知に基づいて、前記他の電子機器制御装置から前記電子機器に対する操作の履歴情報を受信した場合には、当該履歴情報に基づいて、当該電子機器制御装置に接続されている前記電子機器を操作する工程と、
を有することを特徴とする電子機器制御方法。
【手続補正２】
【補正対象書類名】明細書
【補正対象項目名】０００８
【補正方法】変更
【補正の内容】
【０００８】
【課題を解決するための手段】
上記課題を解決するために、本発明に係る電子機器制御装置は、少なくとも１つの電子機器が接続される電子機器制御装置であって、外部からの前記電子機器に対する操作要求を受信する受信手段と、前記操作要求に基づいて前記電子機器を操作する制御手段と、要求された前記電子機器に対する操作の履歴情報を記憶する記憶手段と、前記記憶手段に記憶されている前記履歴情報を他の電子機器制御装置と送受信する通信手段とを備え、前記通信手段が前記他の電子機器制御装置から前記履歴情報を受信した際に、前記制御手段は、当該履歴情報に基づいて、接続されている前記電子機器を操作することを特徴とする。
【手続補正３】
【補正対象書類名】明細書
【補正対象項目名】０００９
【補正方法】変更
【補正の内容】
【０００９】
また、本発明に係る電子機器ネットワークシステムは、少なくとも１つの電子機器が接続される電子機器制御装置であり、複数の当該電子機器制御装置が相互に接続されることによって構成される電子機器ネットワークシステムであって、前記電子機器制御装置は、ユーザが携帯するリモートコントローラからの前記電子機器に対する操作要求を受信する受信手段と、前記操作要求に基づいて前記電子機器を操作する制御手段と、要求された前記電子機器に対する操作の履歴情報を記憶する記憶手段と、前記記憶手段に記憶されている前記履歴情報を他の電子機器制御装置と送受信する通信手段とを備え、前記通信手段が前記他の電子機器制御装置から前記履歴情報を受信した際に、前記制御手段は、当該履歴情報に基づいて、接続されている前記電子機器を操作することを特徴とする。
【手続補正４】
【補正対象書類名】明細書
【補正対象項目名】００１０
【補正方法】変更
【補正の内容】
【００１０】
また、本発明に係る電子機器制御方法は、少なくとも１つの電子機器が接続される電子機器制御装置であり、複数の当該電子機器制御装置が相互に接続されることによって構成される電子機器ネットワークシステムにおける電子機器制御方法であって、ユーザが携帯するリモートコントローラから、ユーザ設定要求を前記電子機器制御装置へ送信する工程と、前記ユーザ設定要求に基づいて、当該電子機器制御装置から他の前記電子機器制御装置に対して前記ユーザ設定要求があったことを示す通知を送信する工程と、前記通知に基づいて、前記他の電子機器制御装置から前記電子機器に対する操作の履歴情報を受信した場合には、当該履歴情報に基づいて、当該電子機器制御装置に接続されている前記電子機器を操作する工程とを有することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００３０
【補正方法】変更
【補正の内容】
【００３０】
内部ＡＶコンポーネント１４は本ＡＶ機器制御装置に内蔵されるＡＶ機器であり、オプショナルであるが、内蔵された場合には、システム制御部１５によって前述のＡＶ機器３と同様の扱いを受ける。
【手続補正１２】
【補正対象書類名】明細書
【補正対象項目名】００３２
【補正方法】変更
【補正の内容】
【００３２】
その一方のモードは、新たにユーザの使用対象となる装置（例えば、後述の図４，５に示すＡＶ機器制御装置４１２）のシステム制御部１５における動作モード、すなわち「ユーザ設定待ち受けモード」であり、他方のモードは、ユーザの使用対象から外れるＡＶ機器制御装置（例えば、後述の図４，５に示すＡＶ機器制御装置４１１）のシステム制御部１５における動作モード、すなわち「ユーザ操作待ち受けモード」での動作である。
【手続補正１３】
【補正対象書類名】明細書
【補正対象項目名】００３３
【補正方法】変更
【補正の内容】
【００３３】
まず、「ユーザ設定待ち受けモード」では、システム制御部１５は、新たにユーザとして設定すべき要求をリモコン制御部１１を介して受けたか否かを判別し（なお、ユーザの移動に伴い無線接続の相手先が切り換わった場合には、リモコン装置２が、この切り換えた無線接続の相手先に対して、このユーザとして設定すべき要求を送信してくることになっている（ユーザ設定指令手段））、新たにユーザとして設定すべき要求を受けていない場合には、上記の判別を繰り返して新たにユーザとして設定すべき要求を受けるまで待機する。
【手続補正１４】
【補正対象書類名】明細書
【補正対象項目名】００３５
【補正方法】変更
【補正の内容】
【００３５】
また、上記の通知に対する他のＡＶ機器制御装置（例えば、後述の図４，５に示すＡＶ機器制御装置４１１）からの応答をホームネットワーク制御部１２を介して受信したか否かを判別し、この応答を受信していない場合は、上記の判別をくり返して他のＡＶ機器制御装置からの応答を受信するまで待機する。
【手続補正１５】
【補正対象書類名】明細書
【補正対象項目名】００５３
【補正方法】変更
【補正の内容】
【００５３】
それまでリモコン装置４４０と１対１で無線接続されていたＡＶ機器制御装置（ここでは、ユーザＡが今まで使用していた部屋４０１に設置された単位システムに属するＡＶ機器制御装置４１１）は、前述の通知を受け取り、かつ、この通知が示すユーザＡが、この通知を受け取る直前まで自己に接続されていたユーザ（すなわちユーザＡ）と同一であると判断することにより、自己が属する単位システムの情報記録部１３の、ユーザＡによる記録内容（操作の履歴情報）を、前述の通知を送ってきたＡＶ機器制御装置（ここではＡＶ機器制御装置４１２）に送信する（図６参照）。
【手続補正１６】
【補正対象書類名】明細書
【補正対象項目名】００５４
【補正方法】変更
【補正の内容】
【００５４】
その後、ＡＶ機器制御装置４１２は、ＡＶ機器制御装置４１１から送られてきたユーザＡによる操作の履歴情報を基に、自己が属する単位システムのＡＶ機器を可能な限り操作（設定を含む）する。
【手続補正１７】
【補正対象書類名】明細書
【補正対象項目名】００７９
【補正方法】変更
【補正の内容】
【００７９】
【発明の効果】
以上詳記したように、ユーザの場所移動に伴って、移動前の場所に備えられた単位システムの電子機器の使用状態の設定を、移動後の場所に備えられた単位システムの電子機器に前記設定を引き継ぐ手段を備えたことにより、ユーザの場所移動に伴って必要であった元の電子機器群の電源切断等の終了操作を省略すると共に、新たな電子機器群の立ち上げ（例えば、電源投入等）操作と、移動前の電子機器群に施したのと同じ操作による新たな電子機器群の再設定操作とを省略することができる。
【手続補正１８】
【補正対象書類名】明細書
【補正対象項目名】００８０
【補正方法】変更
【補正の内容】
【００８０】
また、ユーザの移動後の場所に備えられた単位システムの電子機器制御装置に、移動前の場所に備えられた単位システムの電子機器制御装置に設定されていた使用状態を容易に引き継ぐことができる。
【手続補正１９】
【補正対象書類名】明細書
【補正対象項目名】００８１
【補正方法】変更
【補正の内容】
【００８１】
また、ユーザによる操作の履歴を示す履歴情報を基に、ユーザが他の電子機器制御装置で行った操作を、切り換え後の電子機器制御装置に接続された電子機器上で再現することができる。
【手続補正２０】
【補正対象書類名】明細書
【補正対象項目名】００８２
【補正方法】変更
【補正の内容】
【００８２】
また、操作指令伝達手段がユーザが入力した操作指令を、最も近くの電子機器制御装置に伝達するので、ユーザの移動後の場所が確実に特定できる。
【手続補正２１】
【補正対象書類名】明細書
【補正対象項目名】００８３
【補正方法】変更
【補正の内容】
【００８３】
また、容易かつ確実にユーザの識別を可能にした電子機器ネットワークシステムを実現できる。
【手続補正２２】
【補正対象書類名】明細書
【補正対象項目名】００８４
【補正方法】削除
【補正の内容】
【手続補正２３】
【補正対象書類名】明細書
【補正対象項目名】００８５
【補正方法】削除
【補正の内容】
【手続補正２４】
【補正対象書類名】明細書
【補正対象項目名】００８６
【補正方法】削除
【補正の内容】
【手続補正２５】
【補正対象書類名】明細書
【補正対象項目名】００８７
【補正方法】削除
【補正の内容】